(57)【要約】      （修正有）【課題】簡単で、安価に制作できる本格的な門松を提供する。【解決手段】容器Ａ、容器Ｂが作成されており、容器Ｂが容器Ａの上から挿入されて成り、容器Ａ、Ｂの天端に蓋Ｃを乗せ、水平ボルトを容器Ａと容器Ｂの側壁と蓋Ｃから垂直に垂れる壁に通す事によって、容器Ａ、容器Ｂ、蓋Ｃが固定された構造を有し、蓋Ｃの平面中央穴１に竹が垂直に刺し込まれ、その周りに設ける穴２に松枝、梅枝が刺し込まれ、更にその周りに設ける穴３群に南天、万年青等と笹が刺し込まれ、そして穴４には門松最下部を飾る葉牡丹の根が刺し込まれた構造とされており、更に、容器Ｂの底の中心にも穴１、穴２が設けられて成り、蓋Ｃと容器Ｂ底の上下の穴２には松枝、梅枝が通されている構造である。【選択図】図２
0003206045.tif 000002
【実用新案登録請求の範囲】
【請求項１】
門松の主役である竹３本が、蓋Ｃの中央穴１と容器Ｂの底穴１を突き抜けて、容器Ａ底中央の円筒鞘内に収納されるので、門松に於ける竹の中心垂直位置を確保できる。
【請求項２】
容器Ａ、容器Ｂを作製し、容器Ｂを容器Ａの上から挿入する。容器Ａ、Ｂの天端に蓋Ｃを乗せ水平ボルトで容器Ａと容器Ｂの側壁と蓋Ｃから垂れる壁に通し、Ａ、Ｂ、Ｃを固定する。蓋Ｃの平面中央穴１に竹を、その周りに設ける穴２に松枝  梅枝を、更にその周りに設ける穴３群に、南天、万年青と笹を、そして穴４には、門松最下部を飾る葉牡丹の根を刺し込む。更に容器Ｂ底の中心にも穴１、穴２を設け、上下の穴２には松枝  梅枝を通す。
【請求項３】
蓋Ｃは透明プラスチック製とするので、上から下部の容器Ｂ底を目視でき、松枝  梅枝の容器Ｂ底穴２への刺し込み作業が容易になる。
【請求項４】
容器Ｂは、容器Ａ下部の東西南北４ヶ所に設けた顎１に乗り、蓋Ｃは容器Ａ、容器Ｂの側壁の天端に乗り、更に、蓋Ｃと容器Ａ、容器Ｂは水平ボルトで固定され、松枝  梅枝用の穴２の位置は自動的に上下で合致する。
【考案の詳細な説明】
【技術分野】
【０００１】  本考案は、正月の門松を、家庭で簡単に、製作する為のものである。
【考案の概要】
【考案が解決しようとする課題】
【０００２】  解決しようとする問題点は、現在、我々一般庶民が、正月に門松を、自宅の玄関前に飾ろうと希望する場合、植木屋、造園業者、工務店等に頼むのが一般的である。その場合の価格は、門松の竹の最長が４尺（１２１ｃｍ）の場合で４〜５万円、５尺（１５２ｃｍ）門松で５〜６万円、６尺（１８２ｃｍ）で７〜８万円、が相場である（２０１５年、於名古屋）。
これは、庶民にとっては、極めて高額である。そこで、プラスチック（ポリ）容器で、門松の架台（基礎）を作り、この架台（基礎）に、従来の門松基礎に使用する砂の替わりに水道水を使用する事で、重量及び作業の軽減を図り、職人による人件費を抑え、以て、庶民の手の届く、安価な門松を提供しようとするものである。
【解決するための手段】
【０００３】  本考案は、重労動を必要とする門松基礎の砂の運搬作業を排し、門松製作の職人の労働を家族の集いの場としての、楽しい共同娯楽作業と位置付け、職人の人件費を不要にする事により、問題解決を図る。
【考案の効果】
【０００４】  本考案により、門松製作が極めて簡単になり、従来の職人による、高額な門松製作の人件費が不要となる。
年末の、会社が休みになって、暇なお父さんと、冬休みの子供達だけで、楽しく門松を作る事ができ、家計も助かり、年の瀬で忙しいお母さんも喜ぶ。
【図面の簡単な説明】
【図１】  家庭で作る本格的門松の完成図予想図。
【図２】  プラスチック容器Ａ，Ｂと透明プラスチック（アクリ）蓋Ｃの概念図。
【図３】  門松の架台（基礎）を竹片で仕上げた場合の門松基礎図。
【図４】  蓋Ｃの中央穴１から容器Ａ底の円筒に竹を挿した図。
【図５】  容器Ａと容器Ｂの断面図  及び蓋Ｃの平面図
【図６】  蓋Ｃと容器Ａと容器Ｂを固定する部分の詳細図
【考案を実施する為の形態】
【０００５】  プラスチック製容器Ａ（以下容器Ａと言う）とプラスチック製容器Ｂ（以下容器Ｂ）を製作し、容器Ｂを容器Ａの上から挿入し、容器Ａ、Ｂの上には、透明プラスチック製蓋Ｃ（以下蓋Ｃ）を被せ、門松の架台（基礎）とする
水を入れると、架台（基礎）は重くなり、重心が下がって、門松は安定する。
水を入れなければ、軽く、作業や運搬に便利である。
【０００６】水を入れると、竹や松枝、梅枝など、門松に必要な植物を、みずみずしい状態で保持できる。
【０００７】  容器Ａの底の平面円の中心に、ａを内径とし、ｈを成とする穴１の円筒鞘を、同心円上に一体成型する。
【０００８】  蓋Ｃの中心に、門松の主役である竹３本を内接するａを径とする穴１を開け、更に、容器Ｂ底の同心円上にも同穴１を、その周りに、松枝  梅枝を通す穴２を開ける。
【０００９】  蓋Ｃの中心の穴１の周りに、門松の準主役である松枝  梅枝を刺す穴２と、門松の下部を彩る、笹  南天  万年青（オモト）を刺す穴３を開け、更に、葉牡丹を収める穴４を開ける。
容器Ｂ底には、竹用３本を内接する中央穴１と松枝  梅枝用の穴２のみを開ける。
【００１０】  架台（基礎）を組み立てたら、中央穴１に竹３本を垂直に立て、架台（基礎）に水を入れ、松枝、梅枝を、蓋Ｃの穴２上から挿入し、容器Ｂ底の穴２に通す。次に蓋Ｃの穴３に、笹  南天  万年青を、葉牡丹を穴４に刺す。
【００１１】  松枝  梅枝を、蓋Ｃから容器Ｂに通す作業は、蓋Ｃが透明である為、上から容器Ｂ底の穴２を目視でき、作業が容易となる。
【００１２】  松枝、梅枝は、転倒に対し、蓋Ｃと容器Ｂ底板との上下の穴２で拘束され、垂直２点支持となるので、転倒に対して安定する。
【００１３】  次に、松枝  梅枝の下に配置する、南天、万年青等、赤い実を付ける低木を、蓋Ｃに開けた穴３に通して、水面に刺す。
【００１４】  更に、低木の下に配置する笹を、蓋Ｃの笹用の穴３に、葉牡丹の根を、葉牡丹用の穴４に通して、水面に刺す。この時、葉牡丹を安定させる為、葉牡丹の根元を水苔で穴を満たす。
【００１５】  以上の結果、門松を構成する植物は、全て、水が補給された状態で構成される。
【００１６】  最後に、門松の架台（基礎）の容器Ａ側面に、菰（コモ）、檜皮（ヒワダ）等で巻き付け、上から縄で縛れば、本格的門松となる。（図１）
【００１７】  容器Ａ外側面の上下を胴縁で巻き、上下の胴縁に幅２〜２．５寸程の竹片を、垂直に、ビス止めすれば、門松の架台（基礎）の見栄えは、より一層、立派となる。（図４）
【００１８】  竹、松、梅、の門松の主要部品は全て、支点と、作用点を持つ、垂直２点支持となり、竹、松、梅は転倒方向に対して、安定する。
【００１９】  容器Ｂは、容器Ａの上から下向きに挿入する。容器Ａの側壁内側の東西南北４カ所に設けた凸状顎２が、容器Ｂ側壁の東西南北４カ所に設けた凹溝のガイドレールとなり、上から挿入された容器Ｂは容器Ａの顎１天端で停まる。容器Ａの壁内側と容器Ｂの壁外側は隙間無くすれば、容器Ａと容器Ｂが弛む事は無い。ガイドレールとなる顎２の容器Ａ内側凸部と容器Ｂ外側凹部には、ガイドし易い様、僅かな隙間を設ける。
【００２０】  容器Ｂを容器Ａ内に収めたら、容器Ａ天端と容器Ｂ天端に蓋Ｃを被せる。容器Ａの内側顎２上部の凸部に設けた水平の穴イの位置に、蓋Ｃの垂壁部の水平の穴ロと、容器Ｂ側壁のボルト水平穴ハが来るので、ここにボルトＤを刺し、ナットで締める。ボルト穴は東西南北４ヶ所で外側からボルトを挿入する。ナットは蓋Ｃの穴１から手が入り、且つ上から目視できる。
ボルトＤは、直径１６ｍｍ以上のプラスチック製とする。
【符号の説明】
【００２１】穴１：容器Ｂ底と蓋Ｃの円中央に開ける竹３本を内接する直径ａの穴。
容器Ａ底中心に設ける成ｈの円筒の内径
穴２：蓋Ｃの中央穴１の周囲に開ける、松枝  梅枝を通す穴
容器Ｂ底の中央穴１の周囲に開ける、松枝  梅枝を通す穴
穴３：蓋Ｃの中央穴１、穴２の周囲に開ける、笹、南天、万年青（オモト）等、赤い実の      植物を通す穴。
穴４：蓋Ｃの中央穴１、穴２、穴３の周囲に開ける葉牡丹の根を収める穴。
ａ：  門松の主役である竹３本を内接する穴１の直径。
容器Ａの底に立つ竹３本を内接する円筒の内径。
ｈ：  容器Ａの底に立つ竹３本を内接する円筒の成。ｈ＝５０ｍｍ
容器Ａ：プラスチック製容器Ａ。
容器Ｂ：プラスチック製容器Ｂ。
蓋Ｃ：  透明プラスチック製蓋。
ｋ：菰（こも）
ｎ：縄
Ｔ：竹片
顎１：容器Ａの下部に設ける側壁内向きの凸部分で容器Ｂ底を受ける壁。
顎２：容器Ａの上部内壁の凸部分。この天端イと蓋Ｃ垂れ壁ロと容器Ｂ天端ハをボルトで      締め、容器Ａ、Ｂと蓋Ｃを固定する。
イ：容器Ａ壁の上部内壁の凸部で、水平に開けるボルト穴。
ロ：蓋Ｃの垂直垂れ壁に開けるボルト穴、容器Ａのイ部、容器Ｂのハ部に対する穴。
ハ：容器Ｂ側壁上部で、容器Ａのイ部と蓋Ｃのロ部に挟まれた部分の水平に開けた穴。
ボルトＤ：イとロとハを繋く直径１６ｍｍのプラスチック製ボルト。
φ１：容器Ａの天端位置の外径寸法。
蓋Ｃの外径寸法。
φ２：容器Ａの底の外径
φ３：容器Ｂの天端位置の外径
φ４：容器Ｂの底の外径
ｔ１：容器Ａ、容器Ｂの側壁肉厚
ｔ２：蓋Ｃの蓋厚、ボルトを通す垂れ壁部の肉厚、容器Ｂの顎１の肉厚
【図１】
0003206045.tif 000003
【図２】
0003206045.tif 000004
【図３】
0003206045.tif 000005
【図４】
0003206045.tif 000006
【図４】
0003206045.tif 000007
【図６】
0003206045.tif 000008
【手続補正書】
【提出日】平成28年6月11日(2016.6.11)
【手続補正１】
【補正対象書類名】実用新案登録請求の範囲
【補正対象項目名】全文
【補正方法】変更
【補正の内容】
【実用新案登録請求の範囲】
【請求項１】
門松の主役である青竹３本が、蓋Ｃの中央穴１と容器Ｂの底穴１を垂直に突き抜けて、容器Ａ底中央の円筒鞘内に収納された構造を有し、門松に於ける竹の中心垂直位置が確保されている構造である事を特徴とする「家庭で簡単にできる本格的門松」
【請求項２】
容器Ａ、容器Ｂが作成されており、容器Ｂが容器Ａの上から挿入されて成り、容器Ａ、Ｂの天端に蓋Ｃを乗せ、水平ボルトを容器Ａと容器Ｂの側壁と蓋Ｃから垂直に垂れる壁に通す事によって、容器Ａ、容器Ｂ、蓋Ｃが固定された構造を有し、蓋Ｃの平面中央穴１に竹が垂直に刺し込まれ、その周りに設ける穴２に松枝、梅枝が刺し込まれ、更にその周りに設ける穴３群に南天、万年青等と笹が刺し込まれ、そして穴４には門松最下部を飾る葉牡丹の根が刺し込まれた構造とされており、更に、容器Ｂの底の中心にも穴１、穴２が設けられて成り、蓋Ｃと容器Ｂ底の上下の穴２には松枝、梅枝が通されている構造である事を特徴とする請求項１に記載の門松。
【請求項３】
蓋Ｃは透明プラスチック製とされて成り、上から下部の容器Ｂ底を目視できる構造を有し、松枝、梅枝の容器Ｂ底穴２への刺し込み作業が容易とされた構造である事を特徴とする請求項１に記載の門松。
【請求項４】
容器Ｂが容器Ａの下部の東西南北の４ヶ所設けた顎１に乗せられ、蓋Ｃが容器Ａ容器Ｂの側壁の天端に乗せられた構造を有し、更に蓋Ｃと容器Ａ、容器Ｂは水平ボルトで固定された構造を有し、松枝、梅枝用の穴２の位置は自動的に上下で合致する構造とされた事を特徴とする請求項１に記載の門松。
【手続補正２】
【補正対象書類名】明細書
【補正対象項目名】全文
【補正方法】変更
【補正の内容】
【考案の詳細な説明】
【技術分野】
【０００１】  本考案は、正月の門松を、家庭で簡単に、製作する為のものである。
【考案の概要】
【考案が解決しようとする課題】
【０００２】    解決しようとする問題点は、現在、我々一般庶民が、正月に門松を、自宅の玄関前に飾ろうと希望する場合、植木屋、造園業者、工務店等に頼むのが一般的である。その場合の価格は、門松の竹の最長が４尺（１２１ｃｍ）の場合で４〜５万円、５尺（１５２ｃｍ）の門松で５〜６万円、６尺（１８２ｃｍ）で７〜８万円、が相場である（２０１５年、於名古屋調査）。
これは、庶民にとっては、極めて高額である。そこで、プラスチック（ポリ）容器で、門松の架台（基礎）を作り、この架台（基礎）に、従来の門松基礎に使用する砂の替わりに水道水を使用する事で、重量及び作業の軽減を図り、職人による人件費を抑え、以て、庶民の手の届く、安価な門松を提供しようとするものである。
【解決するための手段】
【０００３】  本考案は、重労動を必要とする門松基礎の砂の運搬作業を排し、門松製作の職人の労働を家族の集いの場としての、楽しい共同娯楽作業と位置付け、職人の人件費を不要にする事により、問題解決を図る。
【考案の効果】
【０００４】  本考案により、門松製作が極めて簡単になり、従来の職人による、高額な門松製作の人件費が不要となる。年末の、会社が休みになって、暇なお父さんと、冬休みの子供達だけで、楽しく門松を作る事ができ、家計も助かり、年の瀬で忙しいお母さんも喜ぶ。
【図面の簡単な説明】
【図１】  家庭で作る本格的門松の完成図予想図。
【図２】  プラスチック容器Ａ，Ｂと透明プラスチック（アクリ）蓋Ｃの概念図。
【図３】  門松の架台（基礎）を竹片で仕上げた場合の門松基礎図。
【図４】  蓋Ｃの中央穴１から容器Ａ底の円筒鞘に竹を挿した図。
【図５】  容器Ａと容器Ｂの断面図。  及び蓋Ｃの平面図
【図６】  蓋Ｃと容器Ａと容器Ｂを固定する部分の詳細図
【考案を実施する為の形態】
【０００５】  プラスチック製容器Ａ（以下容器Ａと言う）とプラスチック製容器Ｂ（以下容器Ｂ）を製作し、容器Ｂを容器Ａの上から挿入し、容器Ａ、Ｂの上には、透明プラスチック製蓋Ｃ（以下蓋Ｃ）を被せ、門松の架台（基礎）とする。水を入れると、架台（基礎）は重くなり、重心が下がって、門松は安定する。水を入れなければ、軽く、作業や運搬に便利である。
【０００６】  水を入れると、竹や松枝、梅枝など、門松に必要な植物を、みずみずしい状態で保持できる。
【０００７】  容器Ａの底の平面円の中心に、ａを内径とし、ｈを成とする穴１の円筒鞘を、同心円上に一体成型する。
【０００８】  蓋Ｃの中心に、門松の主役である竹３本を内接するａを径とする穴１を開け、更に、容器Ｂ底の同心円上にも同穴１を、その周りに、松枝  梅枝を通す穴２を開ける。
【０００９】  蓋Ｃの中心の穴１の周りに、門松の準主役である松枝  梅枝を刺す穴２と、門松の下部を彩る、笹  南天  万年青（オモト）を刺す穴３を開け、更に、葉牡丹を収める穴４を開ける。容器Ｂ底には、竹用３本を内接する中央穴１と松枝  梅枝用の穴２のみを開ける。
【００１０】  架台（基礎）を組み立てたら、中央穴１に竹３本を垂直に立て、架台（基礎）に水を入れ、松枝、梅枝を、蓋Ｃの穴２上から挿入し、容器Ｂ底の穴２に通す。次に蓋Ｃの穴３に、笹  南天  万年青等を、穴４には葉牡丹を刺す。
【００１１】  松枝  梅枝を、蓋Ｃから容器Ｂに通す作業は、蓋Ｃが透明である為、上から容器Ｂ底の穴２を目視でき、作業が容易となる。
【００１２】  松枝、梅枝は、転倒に対し、蓋Ｃと容器Ｂ底板との上下の穴２で拘束され、垂直２点支持となるので、転倒に対して安定する。
【００１３】  次に、松枝  梅枝の下に配置する、南天、万年青等、赤い実を付ける低木を、蓋Ｃに開けた穴３に通して、水面に刺す。
【００１４】  更に、低木の下に配置する笹を、蓋Ｃの笹用の穴３に、葉牡丹の根を、葉牡丹用の穴４に通して、水面に刺す。この時、葉牡丹を安定させる為、葉牡丹の根元を水苔で穴を満たす。
【００１５】  以上の結果、門松を構成する植物は、全て、水が補給された状態で構成される。
【００１６】  最後に、門松の架台（基礎）の容器Ａ側面に、菰（コモ）、檜皮（ヒワダ）等で巻き付け、上から縄で縛れば、本格的門松となる。（図１）
【００１７】  容器Ａ外側面の上下を胴縁で巻き、上下の胴縁に幅２〜２．５寸程の竹片を、垂直に、ビス止めすれば、門松の架台（基礎）の見栄えは、より一層、立派となる。（図３）
【００１８】  竹、松、梅、の門松の主要部品は全て、支点と、作用点を持つ、垂直２点支持となり、竹、松、梅は転倒方向に対して、安定する。
【００１９】  容器Ｂは、容器Ａの上から下向きに挿入する。容器Ａの側壁内側の東西南北４ヶ所に設けた凸状顎２が、容器Ｂ側壁の東西南北４カ所に設けた凹溝のガイドレールとなり、上から挿入された容器Ｂは容器Ａの顎１天端で停まる。容器Ａの壁内側と容器Ｂの壁外側は隙間無くすれば、容器Ａと容器Ｂが弛む事は無い。ガイドレールとなる顎２の容器Ａ内側凸部と容器Ｂ外側凹部には、ガイドし易い様、僅かな隙間を設ける。
【００２０】  容器Ｂを容器Ａ内に収めたら、容器Ａ天端と容器Ｂ天端に蓋Ｃを被せる。容器Ａの内側顎２上部の凸部に設けた水平の穴イの位置に、蓋Ｃの垂壁部の水平の穴ロと、容器Ｂ側壁のボルト水平穴ハが来るので、ここにボルトＤを刺し、ナットで締める。ボルト穴は東西南北４ヶ所で外側からボルトを挿入する。ナットは蓋Ｃの穴１から手が入り、且つ上から目視できる。
ボルトＤは、直径１６ｍｍ以上のプラスチック製とする。
【符号の説明】
【００２１】穴１：容器Ｂ底と蓋Ｃの円中央に開ける竹３本を内接する直径ａの穴。
容器Ａ底中心に設ける成ｈの円筒の内径
穴２：蓋Ｃの中央穴１の周囲に開ける、松枝  梅枝を通す穴
容器Ｂ底の中央穴１の周囲に開ける、松枝  梅枝を通す穴
穴３：蓋Ｃの中央穴１、穴２の周囲に開ける、笹、南天、万年青（オモト）等、赤い実の植物を通す穴。
穴４：蓋Ｃの中央穴１、穴２、穴３の周囲に開ける葉牡丹の根を収める穴。
ａ：    門松の主役である竹３本を内接する穴１の直径。
容器Ａの底に立つ竹３本を内接する円筒の内径。
ｈ：    容器Ａの底に立つ竹３本を内接する円筒の成。ｈ＝５０ｍｍ
容器Ａ：  プラスチック製容器Ａ。
容器Ｂ：  プラスチック製容器Ｂ。
蓋Ｃ：    透明プラスチック製蓋。
ｋ：  菰（こも）
ｎ：  縄
Ｔ：  竹片
顎１：  容器Ａの下部に設ける側壁内向きの凸部分で容器Ｂ底を受ける壁。
顎２：  容器Ａの上部内壁の凸部分。この天端イと蓋Ｃ垂れ壁ロと容器Ｂ天端ハをボルト        で締め、容器Ａ、Ｂと蓋Ｃを固定する。
イ  ：  容器Ａ壁の上部内壁の凸部で、水平に開けるボルト穴。
ロ  ：  蓋Ｃの垂直垂れ壁に開けるボルト穴、容器Ａのイ部、容器Ｂのハ部に対する穴。
ハ  ：  容器Ｂ側壁上部で、容器Ａのイ部と蓋Ｃのロ部に挟まれた部分の水平に開けた穴        。
ボルトＤ  ：  イとロとハを繋ぐ直径１６ｍｍのプラスチック製ボルト。
φ１：  容器Ａの天端位置の外径寸法。
蓋Ｃの外径寸法。
φ２：  容器Ａの底の外径
φ３：  容器Ｂの天端位置の外径
φ４：  容器Ｂの底の外径
ｔ１：  容器Ａ、容器Ｂの側壁肉厚
ｔ２：  蓋Ｃの蓋厚、ボルトを通す垂れ壁部の肉厚、容器Ｂの顎１の肉厚
【手続補正３】
【補正対象書類名】図面
【補正対象項目名】全図
【補正方法】変更
【補正の内容】
【図１】
0003206045.tif 000009
【図２】
0003206045.tif 000010
【図３】
0003206045.tif 000011
【図４】
0003206045.tif 000012
【図５】
0003206045.tif 000013
【図６】
0003206045.tif 000014